(57)【要約】【課題】  詰替え用のシャンプー、リンス、液状石鹸などの種々の大きさの液状物容器に適用でき、操作が極めて容易で且つ容器内の液状物を一層円滑に絞り出すことが出来る液状物容器の絞出し器具を提供する。【解決手段】  液状物容器の絞出し器具は、液状物が充填された袋状またはチューブ状の容器（７）から液状物を絞出す絞出し器具であり、一対の帯状体（１１）から成り且つ容器（７）の幅方向に亙って挟み付ける挟付部材（１）と、容器（７）の一方の側縁に外側から嵌合し且つ当該側縁に沿って摺動するブロック状の案内部材（３）とから構成され、そして、案内部材（３）には、一対の帯状体（１１）の他端を閉じた状態において挟付部材（１）を挿通可能な穴（６）が設けられる。【選択図】  図１
2005170496.tif 000002
【特許請求の範囲】
【請求項１】
上端に口部を有し且つ液状物が充填された袋状またはチューブ状の容器から液状物を絞出す絞出し器具であって、長手方向の一端が連結された一対の帯状体から成り且つ容器の幅方向に亙って当該容器を表裏から挟み付ける挟付部材と、容器の潰れた状態の一方の側縁に外側から嵌合し且つ嵌合した側縁に沿って摺動するブロック状の案内部材とから構成され、かつ、当該案内部材には、前記一対の帯状体の他端を閉じた状態において前記挟付部材を挿通可能な穴が設けられていることを特徴とする液状物容器の絞出し器具。
【請求項２】
挟付部材の少なくとも一方の帯状体の表面には多数のノッチが設けられ、案内部材の穴の内面には前記ノッチに係合する突起が設けられている請求項１に記載の絞出し器具。
【請求項３】
挟付部材の各帯状体の長手方向に沿った相対向する角部のうち、絞出し方向側に向けられる一方の角部が曲面に形成されている請求項１又は２に記載の絞出し器具。
【発明の詳細な説明】
【技術分野】
【０００１】
本発明は、液状物容器の絞出し器具に関するものであり、詳しくは、種々の大きさの液状物容器に使用でき、容器内の液状物を円滑に絞り出すことが出来る液状物容器の絞出し器具に関するものである。
【背景技術】
【０００２】
ラミネートチューブに収容された練歯磨きや絵の具を絞り出すための絞出し器具が「事務用品兼用ラミネートチューブの絞出具」として提案されている。上記の絞出し器具は、基端に把持板が設けられた細長平板状の本体（絞出板）に対し、その長さ方向に沿って細長Ｕ字状の切欠部を形成することにより、本体の中央部に細長舌片状の挟込片を構成したものである。斯かる絞出し器具を使用する場合は、本体から挟込片を幾分持ち上げ、本体の表面と挟込片の裏面との間にチューブの底部を挟み込んだ後、本体と挟込片を表裏から指先で押え付けた状態でチューブの口部側へ向けて扱く様にスライドさせることにより、練歯磨き等の内容物を絞り出す。上記の様な２枚の板状片、すなわち、本体と挟込片によってチューブを挟み付ける構造は、指先で操作するのに比べ、チューブの全幅に亙って簡単に扱くことが出来る。
【特許文献１】実公昭６３−４８５３７号公報
【発明の開示】
【発明が解決しようとする課題】
【０００３】
ところで、上記の絞出し器具は、基端部で本体と挟込片とが一体化しているが、先端側で挟込片が常に開放された構造になされており、チューブを挟み付けた場合、挟込片が弾性変形し、その先端側が本体に対して開いてしまうため、扱く際には、指先によって本体および挟込片の各先端部を閉じた状態に保持しておかなければならず、操作し難いと言う問題がある。
【０００４】
また、昨今は、練歯磨きや絵の具に限らず、液状石鹸やシャンプーに関しても、詰め替え用として扁平な袋状の容器に収容したものが流通しており、これらの液状物も、剛性容器への詰め替えの際にはこぼさない様にスムーズに絞り出さなければならない。しかしながら、上記の様な袋状の容器は、種類によって幅が様々であり、かつ、その寸法も指先に比べてかなり大きいため、前述の様な構造の絞出し器具によって円滑に操作するのは難しく、実際、剛性容器への詰め替えにおいて液状物をこぼしてしまうと言う問題がある。
【０００５】
本発明は、上記の実情に鑑みなされたものであり、練歯磨き等を収納したチューブ状の容器、液状石鹸などを収納した扁平な袋状の容器などの種々の大きさの液状物容器に適用でき、操作が極めて容易で且つ容器内の液状物を一層円滑に絞り出すことが出来る液状物容器の絞出し器具を提供することにある。
【課題を解決するための手段】
【０００６】
本発明は、上記の課題を解決するため、一端が連結された一対の帯状体により挟付部材を構成し、当該挟付部材によって容器をその幅方向に亙って挟み付けると共に、容器を挟み付けた際、挟付部材の他端側における帯状体の互い開きをブロック状の案内部材により規制する様にした。しかも、挟付部材に対して案内部材を装着位置自在に係合させることにより、挟付部材によって容器を扱く際、容器の一方の側縁に嵌合させた案内部材によって挟付部材に対する案内機能を発揮させる様にした。
【０００７】
すなわち、本発明の要旨は、上端に口部を有し且つ液状物が充填された袋状またはチューブ状の容器から液状物を絞出す絞出し器具であって、長手方向の一端が連結された一対の帯状体から成り且つ容器の幅方向に亙って当該容器を表裏から挟み付ける挟付部材と、容器の潰れた状態の一方の側縁に外側から嵌合し且つ嵌合した側縁に沿って摺動するブロック状の案内部材とから構成され、かつ、当該案内部材には、前記一対の帯状体の他端を閉じた状態において前記挟付部材を挿通可能な穴が設けられていることを特徴とする液状物容器の絞出し器具に存する。
【発明の効果】
【０００８】
本発明に係る液状物容器の絞出し器具によれば、種々の大きさの液状物容器に使用でき、そして、挟付部材をスライドさせるだけの極めて簡単な操作より、容器の全幅に亙って均一に扱くことが出来、容器内の液状物を確実に且つ円滑に絞り出すことが出来る。従って、液状石鹸などの液状物を他の剛性容器に詰め替える場合にもこぼす虞がない。
【発明を実施するための最良の形態】
【０００９】
本発明に係る液状物容器の絞出し器具を図面に基づいてに説明する。図１は、本発明に係る液状物容器の絞出し器具の構成要素を示す斜視図である。図２は、液状物容器の絞出し器具の容器への取付方法を示す部分的な平面図であり、図３は、液状物容器の絞出し器具を容器へ取り付けた状態を示す部分的な平面図である。また、図４は、図３のIV−IV線に沿って見た断面図であり、挟付部材の一対の帯状体の断面形状を示す図である。図５は、挟付部材のノッチ及び案内部材の穴内面の突起を示す縦断面図である。なお、以下の説明においては、液状物容器の絞出し器具を「絞出し器具」と略記する。
【００１０】
本発明の絞出し器具は、図１に示す様に、上端に口部を有し且つ液状物が充填された袋状またはチューブ状の容器から液状物を絞出す際に使用する器具である。本発明において、容器としては、充填された液状物を絞り出す構造の柔軟な容器、例えば、練りワサビ、練乳、練歯磨き、絵の具などを充填したチューブ状容器、詰替え用のシャンプー、リンス、液状石鹸、洗剤などを充填した扁平な袋状容器などが挙げられる。図に例示した容器（７）は、詰替え用の液状石鹸を充填した袋状容器である。
【００１１】
本発明の絞出し器具は、図１に示す様に、例えば扁平な袋状の容器（７）を表裏から挟み付ける挟付部材（１）と、当該挟付部材に係合する案内部材（３）とから構成される。挟付部材（１）及び案内部材（３）は、金属などの剛性を有する材料で構成することも出来るが、成形性およびコストの観点から、通常はポリエチレン、ポリプロピレン等のポリオレフィン樹脂、アクリル樹脂、ＡＢＳ等の合成樹脂によって構成される。
【００１２】
挟付部材（１）は、容器（７）の幅方向に亙って当該容器を表裏から挟み付ける部材であり、長手方向の一端（図中において右側の端部）が回動可能に連結された一対の帯状体（１１）によって構成される。帯状体（１１）の断面形状は、特に限定されるものではないが、通常、容器（７）の表面に長辺部が当接する様な略長方形に形成される（図４参照）。すなわち、帯状体（１１）は、長手方向に直交する断面が略長方形の角棒状に形成される。そして、一対の帯状体（１１）は、これらと一体に形成された薄肉のヒンジ部（１２）によって一端側が連結され、ヒンジ部（１２）を起点に開閉する様になされている。
【００１３】
なお、実用上の観点から、帯状体（１１）の長さは１２０〜２００ｍｍ程度、帯状体（１１）の幅（断面視した場合の長辺の長さ）は１０〜２０ｍｍ程度、帯状体（１１）の厚さ（断面視した場合の短辺の長さ）は３〜７ｍｍ程度に設計され、ヒンジ部（１２）の肉厚は１〜２ｍｍ程度に設計される。
【００１４】
また、図４に示す様に、挟付部材（１）においては、容器（７）を挟み付けて操作する際により滑らかに移動し得る様に、各帯状体（１１）の長手方向に沿った相対向する角部のうち、容器（７）に取り付けた場合に絞出し方向側に向けられる一方の角部（１１ｃ）が曲面に形成されていてもよい。上記の角部（１１ｃ）の曲率半径は１〜２ｍｍ程度とされる。また、容器（７）を挟み付けて操作する際に挟付部材（１）が容器（７）内の圧力によって簡単に押し戻されない様に、各帯状体（１１）の長手方向に沿った相対向する角部のうち、容器（７）に取り付けた場合に絞出し方向と反対側に向けられる他方の角部が鋭角に形成されていてもよい。
【００１５】
更に、図１及び図５に示す様に、挟付部材（１）に係合させた案内部材（３）が絞出しの際に外れるのを防止するため、挟付部材（１）の少なくとも一方の帯状体（１１）の他端側表面には、後述する案内部材（３）の突起（４）と噛み合う多数のノッチ（２）が設けられる。すなわち、一方の帯状体（１１）の先端部の外側表面には、側面形状が三角形の山と谷で構成される刻みが多数連続して設けられる。
【００１６】
上記の案内部材（３）は、図１に示す様に、挟付部材（１）に係合するブロック状の部材であり、例えば、外形を略直方体に形成される。また、図１及び図４に示す様に、挟付部材（１）に案内部材（３）を取り付けた場合に帯状体（１１）の外表面と平行な案内部材（３）の長辺は、挟付部材（１）の帯状体（１１）の幅よりも長く設計され、挟付部材（１）に案内部材（３）を取り付けた場合に帯状体（１１）の厚さ方向に平行な案内部材（３）の短辺は、重ね合わせた一対の帯状体（１１）の厚さよりも長く設計される。
【００１７】
図１及び図４に示す様に、案内部材（３）の上記の長辺に沿った側面の中央には、容器（７）の側縁を挟み込む溝（５）が前記の長辺と平行に設けられる。溝（５）の幅は０．５〜２ｍｍ程度とされ、上記の側面からの溝（５）の深さは５〜１２ｍｍ程度とされる。案内部材（３）は、上記の溝（５）により、容器（７）の潰れた状態の一方の側縁に外側から嵌合し且つ嵌合した容器（７）の側縁に沿って摺動する様に構成されている（図３参照）。
【００１８】
更に、図１及び図４に示す様に、案内部材（３）には、上記の一対の帯状体（１１）の他端を閉じた状態において挟付部材（１）を挿通可能な穴（６）が設けられる。斯かる穴（６）は、案内部材（３）の側面に設けられた貫通孔であり、その開口形状は、重ね合わせた一対の帯状体（１１）の断面形状と略同等の方形状に形成される。すなわち、案内部材（３）は、容器（７）を挟み付け且つ他端を閉じた状態の一対の帯状体（１１）をその先端（他端）から上記の穴（６）に相対的に挿通することにより、挟付部材（１）に係合する様になされている。
【００１９】
また、図５に示す様に、案内部材（３）の穴（６）の内面には、挟付部材（１）の帯状体（１１）表面に設けられた前述のノッチ（２）に係合する突起（４）が設けられる。斯かる突起（４）は、側面視した場合に上記のノッチ（２）の山とは逆傾斜の三角形状に形成される。すなわち、帯状体（１１）の表面のノッチ（２）及び案内部材（３）の穴（６）の突起（４）は、容器（７）を挟み込んでその外皮の厚さ分だけ一対の帯状体（１１）が僅かに開いた状態において、案内部材（３）が挟付部材（１）に係合している場合に互いに噛み合うことにより、挟付部材（１）の先端（他端）側から一端側へ案内部材（３）を押し込むことは出来るが、挟付部材（１）の一端側から先端側へ案内部材（３）が戻らない様に、案内部材（３）の緩みを防止する機能を発揮する。
【００２０】
本発明の絞出し器具を使用するには、先ず、図１に示す様に、一対の帯状体（１１）を閉じる様にして、挟付部材（１）により容器（７）の底部を挟み付ける。次いで、図２に示す様に、挟付部材（１）の他端側、すなわち、閉じた側の一対の帯状体（１１）の端部（図において左側の端部）を案内部材（３）の穴（６）に挿通することにより、挟付部材（１）に案内部材（３）を取り付ける。続いて、図２の矢印で示す様に、挟付部材（１）の一端側（ヒンジ部（１２）の側）へ向けて案内部材（３）を移動させ、そして、図３及び図４に示す様に、案内部材（３）の溝（５）に対して相対的に容器（７）の一方の側縁（図３において左側の側縁）を勘合させる。上記の様に容器（７）の底部に絞出し器具を取り付けた後は、容器（７）の口部側へ向けて案内部材（３）と共に挟付部材（１）をスライドさせ、容器（７）内の液状物を絞り出す。
【００２１】
本発明の絞出し器具においては、挟付部材（１）が容器（７）の底部をその幅方向に亙って挟み付けると共に、挟付部材（１）に取り付けた案内部材（３）が当該挟付部材の他端側における帯状体（１１）の開きを規制する。また、挟付部材（１）に対して装着位置自在な案内部材（３）を容器（７）の一方の側縁に嵌合させることにより、案内部材（３）は、挟付部材（１）によって容器（７）を扱く際、実質的に挟付部材（１）の有効長さを規定すると共に、嵌合した容器（７）の側縁に沿って摺動するため、容器（７）の幅方向に沿って取り付けられた挟付部材（１）の傾きを防止し且つ挟付部材（１）に対する案内機能を発揮する。
【００２２】
従って、本発明の絞出し器具は、種々の大きさの容器（７）に使用でき、そして、一旦、容器（７）の底部に取り付けた後は、挟付部材（１）をスライドさせるだけの極めて簡単な操作より、容器（７）の全幅に亙って均一に扱くことが出来、容器（７）内の液状物を確実に且つ円滑に絞り出すことが出来る。これにより、液状石鹸などの液状物を他の剛性容器に詰め替える場合にもこぼす虞がない。更に、挟付部材（１）の帯状体（１１）表面のノッチ（２）及びこれに噛み合う案内部材（３）の突起（４）は、案内部材（３）の緩み防止機能を発揮するため、本発明の絞出し器具においては、容器（７）を扱く際の挟付部材（１）のずれ、緩み及び脱落を防止することが出来る。
【００２３】
なお、容器（７）内の液状物を全て絞り出した後は、挟付部材（１）の一対の帯状体（１１）を互いに更に近付ける様に強く指先で挟み付けることにより、挟付部材（１）のノッチ（２）と案内部材（３）の突起（４）との噛合いを解除することが出来、挟付部材（１）から案内部材（３）を取り外し、一対の帯状体（１１）を開いて容器（７）から挟付部材（１）を簡単に取り外すことが出来る。
【図面の簡単な説明】
【００２４】
【図１】本発明に係る液状物容器の絞出し器具の構成要素を示す斜視図である。
【図２】本発明に係る液状物容器の絞出し器具の容器への装着方法を示す部分的な平面図である。
【図３】本発明に係る液状物容器の絞出し器具を容器へ装着した状態を示す部分的な平面図である。
【図４】挟付部材の一対の帯状体の断面形状を示す断面図である。
【図５】挟付部材のノッチ及び案内部材の穴内面の突起を示す断面図である。
【符号の説明】
【００２５】
１    ：挟付部材
１１  ：帯状体
１１ｃ：角部
１２  ：ヒンジ部
２    ：ノッチ
３    ：案内部材
４    ：突起
５    ：溝
６    ：穴
７    ：容器
【図１】
2005170496.tif 000003
【図２】
2005170496.tif 000004
【図３】
2005170496.tif 000005
【図４】
2005170496.tif 000006
【図５】
2005170496.tif 000007